(57)【要約】【課題】作業効率を改善するとともに、データ管理を容易に行う。【解決手段】エンジニアリング作業装置１は、エンジニアリングデータを設定するデータ設定部１１と、設定されたエンジニアリングデータをデータ管理装置２に転送するデータ転送部１３とを備え、データ管理装置２は、各装置３，４における現在のエンジニアリングデータを保持するデータ保持部２１と、転送されたエンジニアリングデータを受信するデータ受信部２２と、各装置３，４における現在のエンジニアリングデータと受信されたエンジニアリングデータとを比較し、データ更新対象の装置３，４を決定するデータ更新対象決定部２３と、データ更新対象の装置３，４が決定された場合、受信された該当エンジニアリングデータに基づきダウンロードファイルを生成するファイル生成部２４と、生成されたダウンロードファイルを該当装置３，４にダウンロードするファイルダウンロード部２５とを備えた。【選択図】図１
2015035700.tif 000002
【特許請求の範囲】
【請求項１】
ネットワークに接続された複数の装置に対し、当該装置を動作させるためのエンジニアリングデータを設定するエンジニアリング作業装置と、前記エンジニアリング作業装置により設定されたエンジニアリングデータに基づいて前記装置のデータ更新を行うとともに、前記各装置における現在のエンジニアリングデータを管理するデータ管理装置とを備えた監視システムであって、
前記エンジニアリング作業装置は、
前記エンジニアリングデータを設定するデータ設定部と、
前記データ設定部により設定されたエンジニアリングデータを前記データ管理装置に転送するデータ転送部とを備え、
前記データ管理装置は、
前記各装置における現在のエンジニアリングデータを保持するデータ保持部と、
前記データ転送部により転送されたエンジニアリングデータを受信するデータ受信部と、
前記データ保持部に保持されている前記各装置における現在のエンジニアリングデータと、前記データ受信部により受信されたエンジニアリングデータとを比較し、データ更新対象の前記装置を決定するデータ更新対象決定部と、
前記データ更新対象決定部によりデータ更新対象の前記装置が決定された場合、前記データ受信部により受信された該当エンジニアリングデータに基づいて、当該データ更新対象の装置用のダウンロードファイルを生成するファイル生成部と、
前記ファイル生成部により生成されたダウンロードファイルを、該当装置にダウンロードするファイルダウンロード部とを備えた
ことを特徴とする監視システム。
【請求項２】
前記エンジニアリング装置は、
前記ファイルダウンロード部におけるダウンロード時刻を設定するダウンロード時刻設定部を備え、
前記データ転送部は、前記エンジニアリングデータとともに、前記ダウンロード時刻設定部により設定されたダウンロード時刻を示す情報を前記データ管理装置に転送し、
前記データ受信部は、前記データ転送部により転送されたエンジニアリングデータおよびダウンロード時刻を示す情報を受信し、
前記ファイルダウンロード部は、前記データ受信部により受信された該当ダウンロード時刻を示す情報に従い、当該ダウンロード時刻に前記ダウンロードファイルのダウンロードを実行する
ことを特徴とする請求項１記載の監視システム。
【請求項３】
ネットワークに接続された複数の装置に対し、当該装置を動作させるためのエンジニアリングデータを設定するエンジニアリング作業装置であって、
前記エンジニアリングデータを設定するデータ設定部と、
記エンジニアリング作業装置により設定されたエンジニアリングデータに基づいて前記装置のデータ更新を行うとともに、前記各装置における現在のエンジニアリングデータを管理するデータ管理装置に、前記データ設定部により設定されたエンジニアリングデータを転送するデータ転送部と
を備えたことを特徴とするエンジニアリング作業装置。
【請求項４】
ネットワークに接続された複数の装置に対し、当該装置を動作させるためのエンジニアリングデータを設定するエンジニアリング作業装置により設定されたエンジニアリングデータに基づいて前記装置のデータ更新を行うとともに、前記各装置における現在のエンジニアリングデータを管理するデータ管理装置であって、
前記各装置における現在のエンジニアリングデータを保持するデータ保持部と、
前記エンジニアリング作業装置により設定されて転送されたエンジニアリングデータを受信するデータ受信部と、
前記データ保持部に保持されている前記各装置における現在のエンジニアリングデータと、前記データ受信部により受信されたエンジニアリングデータとを比較し、データ更新対象の前記装置を決定するデータ更新対象決定部と、
前記データ更新対象決定部によりデータ更新対象の前記装置が決定された場合、前記データ受信部により受信された該当エンジニアリングデータに基づいて、当該データ更新対象の装置用のダウンロードファイルを生成するファイル生成部と、
前記ファイル生成部により生成されたダウンロードファイルを、該当装置にダウンロードするファイルダウンロード部と
を備えたことを特徴とするデータ管理装置。
【請求項５】
ネットワークに接続された複数の装置に対し、当該装置を動作させるためのエンジニアリングデータを設定するエンジニアリング作業装置と、前記エンジニアリング作業装置により設定されたエンジニアリングデータに基づいて前記装置のデータ更新を行うとともに、前記各装置における現在のエンジニアリングデータを管理するデータ管理装置とを備えた監視システムによる監視方法であって、
前記エンジニアリング作業装置は、
前記エンジニアリングデータを設定するデータ設定ステップと、
前記データ設定ステップにおいて設定したエンジニアリングデータを前記データ管理装置に転送するデータ転送ステップとを有し、
前記データ管理装置は、
前記各装置における現在のエンジニアリングデータを保持するデータ保持ステップと、
前記データ転送ステップにおいて転送されたエンジニアリングデータを受信するデータ受信ステップと、
前記データ保持ステップにおいて保持した前記各装置における現在のエンジニアリングデータと、前記データ受信ステップにおいて受信したエンジニアリングデータとを比較し、データ更新対象の前記装置を決定するデータ更新対象決定ステップと、
前記データ更新対象決定ステップにおいてデータ更新対象の前記装置を決定した場合、前記データ受信ステップにおいて受信した該当エンジニアリングデータに基づいて、当該データ更新対象の装置用のダウンロードファイルを生成するファイル生成ステップと、
前記ファイル生成ステップにおいて生成したダウンロードファイルを、該当装置にダウンロードするファイルダウンロードステップとを有する
ことを特徴とする監視方法。
【発明の詳細な説明】
【技術分野】
【０００１】
この発明は、ネットワークに接続された複数の装置に対し、当該装置を動作させるためのエンジニアリングデータを設定するエンジニアリング作業装置と、エンジニアリング作業装置により設定されたエンジニアリングデータに基づいて装置のデータ更新を行うとともに、各装置における現在のエンジニアリングデータを管理するデータ管理装置とを備えた監視システム、エンジニアリング作業装置、データ管理装置および監視方法に関するものである。
【背景技術】
【０００２】
従来、監視装置や制御装置などの複数の装置で構成される監視システムでは、エンジニアリング作業装置（エンジニアリングツール）で、各装置に対するエンジニアリングデータを設定し、これを各装置用のファイル形式に変換した上で、個別にダウンロードしている（例えば特許文献１，２参照）。
【先行技術文献】
【特許文献】
【０００３】
【特許文献１】特開２０１１−９７４２８号公報
【特許文献２】特開２０１１−９７４３０号公報
【発明の概要】
【発明が解決しようとする課題】
【０００４】
しかしながら、従来技術では作業効率が悪いという課題がある。すなわち、システム内の複数の装置のデータを変更する場合、エンジニアリング作業装置では、１台ずつファイルのアップロード、ファイル修正、ダウンロードという作業を行わなければならない。この作業の大半は待ち時間であるが、作業者は変更対象の全装置のデータ変更が完了するまでの間、エンジニアリング作業装置の操作のために拘束されることになる。
【０００５】
また、作業時間帯が夜間になるという課題がある。すなわち、システム内の装置のデータを変更する場合、その装置をオフライン状態にする必要があり、その間は当該装置による制御や監視が停止する。そのため、データの変更作業は夜間しか行えず、作業者は夜間に現場へ行き作業を行わなければならない。
【０００６】
さらに、各装置における現在のデータが分からなくなるという課題がある。すなわち、エンジニアリング作業装置のデータを変更した場合、上書きではなく、別データとして保存する場合が多い。そして、どの時点のデータを使用して装置へダウンロードを行ったかという管理は、作業者が行っている。そのため、管理が不十分な場合、どのエンジニアリングデータが各装置における現在のデータであるかが分からなくなる。
【０００７】
この発明は、上記のような課題を解決するためになされたもので、作業効率を改善できるとともに、データ管理を容易に行うことができる監視システム、エンジニアリング作業装置、データ管理装置および監視方法を提供することを目的としている。
【課題を解決するための手段】
【０００８】
この発明に係る監視システムは、ネットワークに接続された複数の装置に対し、当該装置を動作させるためのエンジニアリングデータを設定するエンジニアリング作業装置と、エンジニアリング作業装置により設定されたエンジニアリングデータに基づいて装置のデータ更新を行うとともに、各装置における現在のエンジニアリングデータを管理するデータ管理装置とを備え、エンジニアリング作業装置は、エンジニアリングデータを設定するデータ設定部と、データ設定部により設定されたエンジニアリングデータをデータ管理装置に転送するデータ転送部とを備え、データ管理装置は、各装置における現在のエンジニアリングデータを保持するデータ保持部と、データ転送部により転送されたエンジニアリングデータを受信するデータ受信部と、データ保持部に保持されている各装置における現在のエンジニアリングデータと、データ受信部により受信されたエンジニアリングデータとを比較し、データ更新対象の装置を決定するデータ更新対象決定部と、データ更新対象決定部によりデータ更新対象の装置が決定された場合、データ受信部により受信された該当エンジニアリングデータに基づいて、当該データ更新対象の装置用のダウンロードファイルを生成するファイル生成部と、ファイル生成部により生成されたダウンロードファイルを、該当装置にダウンロードするファイルダウンロード部とを備えたものである。
【０００９】
また、この発明に係る監視方法は、ネットワークに接続された複数の装置に対し、当該装置を動作させるためのエンジニアリングデータを設定するエンジニアリング作業装置と、エンジニアリング作業装置により設定されたエンジニアリングデータに基づいて装置のデータ更新を行うとともに、各装置における現在のエンジニアリングデータを管理するデータ管理装置とを備えた監視システムによる監視方法であって、エンジニアリング作業装置は、エンジニアリングデータを設定するデータ設定ステップと、データ設定ステップにおいて設定したエンジニアリングデータをデータ管理装置に転送するデータ転送ステップとを有し、データ管理装置は、各装置における現在のエンジニアリングデータを保持するデータ保持ステップと、データ転送ステップにおいて転送されたエンジニアリングデータを受信するデータ受信ステップと、データ保持ステップにおいて保持した各装置における現在のエンジニアリングデータと、データ受信ステップにおいて受信したエンジニアリングデータとを比較し、データ更新対象の装置を決定するデータ更新対象決定ステップと、データ更新対象決定ステップにおいてデータ更新対象の装置を決定した場合、データ受信ステップにおいて受信した該当エンジニアリングデータに基づいて、当該データ更新対象の装置用のダウンロードファイルを生成するファイル生成ステップと、ファイル生成ステップにおいて生成したダウンロードファイルを、該当装置にダウンロードするファイルダウンロードステップとを有するものである。
【発明の効果】
【００１０】
この発明によれば、上記のように構成したので、作業効率を改善できるとともに、データ管理を容易に行うことができる。
【図面の簡単な説明】
【００１１】
【図１】この発明の実施の形態１に係る監視システムの構成を示す図である。
【図２】この発明の実施の形態１に係るエンジニアリング作業装置の構成を示す図である。
【図３】この発明の実施の形態１に係るデータ管理装置の構成を示す図である。
【図４】この発明の実施の形態１に係る監視システムの動作を示すフローチャートである。
【発明を実施するための形態】
【００１２】
以下、この発明の実施の形態について図面を参照しながら詳細に説明する。
実施の形態１．
図１はこの発明の実施の形態１に係る監視システムの構成を示す図である。
監視システムは、図１に示すように、エンジニアリング作業装置１、データ管理装置２、監視装置３、制御装置４および表示装置５から構成されている。
【００１３】
エンジニアリング作業装置１は、ネットワークに接続された複数の装置３，４に対し、当該装置３，４を動作させるためのエンジニアリングデータを設定するものである。このエンジニアリング作業装置１として、例えばＰＣを用いる。
【００１４】
データ管理装置２は、エンジニアリング作業装置１により設定されたエンジニアリングデータに基づいて装置３，４のデータ更新を行うとともに、各装置３，４における現在のエンジニアリングデータを管理するものである。この際、データ管理装置２は、該当エンジニアリングデータに基づいて該当装置３，４用のダウンロードファイル（動作ファイル）を生成し、このファイルを該当装置３，４にダウンロードすることでデータ更新を行う。
【００１５】
監視装置３は、データ管理装置２によりダウンロードされたダウンロードファイルに基づいて動作し、ルータ６を介して接続される制御装置４を監視・制御するものである。この監視装置３による監視・制御情報は表示装置５に表示される。
制御装置４は、監視装置３による制御に従い、不図示のフィールド機器を監視・制御するものである。この制御装置４は、データ管理装置２によりダウンロードされたダウンロードファイルに基づいて動作する。
【００１６】
次に、エンジニアリング作業装置１およびデータ管理装置２のシステム構築に関する構成について、図２，３を参照しながら説明する。
エンジニアリング作業装置１は、図２に示すように、データ設定部１１、ダウンロード時刻設定部１２およびデータ転送部１３を備えている。
【００１７】
データ設定部１１は、エンジニアリングデータを設定するものである。
ダウンロード時刻設定部１２は、ファイルダウンロード部２５によりダウンロードファイルのダウンロードを実行する時刻（ダウンロード時刻）を設定するものである。
【００１８】
データ転送部１３は、データ設定部１１により設定されたエンジニアリングデータをデータ管理装置２に転送するものである。なお、ダウンロード時刻設定部１２によりダウンロード時刻の設定が行われた場合には、エンジニアリングデータとともに、当該ダウンロード時刻を示す情報もデータ管理装置２に転送する。
【００１９】
データ管理装置２は、図３に示すように、データ保持部２１、データ受信部２２、データ更新対象決定部２３、ファイル生成部２４およびファイルダウンロード部２５を備えている。
【００２０】
データ保持部２１は、各装置３，４における現在のエンジニアリングデータを保持するものである。
データ受信部２２は、エンジニアリング作業装置１のデータ転送部１３により転送されたエンジニアリングデータを受信するものである。なお、データ転送部１３によりエンジニアリングデータとともにダウンロード時刻を示す情報も転送された場合には、この時刻情報の受信も行う。
【００２１】
データ更新対象決定部２３は、データ保持部２１に保持されている各装置３，４における現在のエンジニアリングデータと、データ受信部２２により受信されたエンジニアリングデータとを装置３，４単位で比較し、データ更新対象の装置３，４を決定するものである。
【００２２】
ファイル生成部２４は、データ更新対象決定部２３によりデータ更新対象の装置３，４が決定された場合、データ受信部２２により受信された該当エンジニアリングデータに基づいて、当該更新対象の装置３，４用のダウンロードファイルを生成するものである。
【００２３】
ファイルダウンロード部２５は、ファイル生成部２４により生成されたダウンロードファイルを、該当装置３，４にダウンロードするものである。なお、データ受信部２２により該当エンジニアリングデータとともにダウンロード時刻を示す情報も受信された場合には、当該ダウンロード時刻に該当ダウンロードファイルのダウンロードを実行する。
【００２４】
次に、上記のように構成された監視システムの動作について、図４を参照しながら説明する。なお、エンジニアリング作業装置１のデータ設定部１１では、エンジニアリングデータの設定を行っている（データ設定ステップ）。また、データ管理装置２のデータ保持部２１では、システム内の各装置３，４における現在のエンジニアリングデータを保持している（データ保持ステップ）。
【００２５】
この監視システムの動作では、図４に示すように、まず、エンジニアリング作業装置１において、データ転送部１３は、データ設定部１１により設定されたエンジニアリングデータをデータ管理装置２に転送する（ステップＳＴ１、データ転送ステップ）。この際、ダウンロード時刻設定部１２にて、ファイルダウンロード部２５におけるダウンロード時刻を設定してもよい。この場合、データ転送部１３は、エンジニアリングデータとともに、ダウンロード時刻設定部１２により設定されたダウンロード時刻を示す情報もデータ管理装置２に転送する。
【００２６】
次いで、データ管理装置２において、データ受信部２２にて、エンジニアリング作業装置１のデータ転送部１３により転送されたエンジニアリングデータを受信する（ステップＳＴ２、データ受信ステップ）。なお、データ転送部１３によりエンジニアリングデータとともにダウンロード時刻を示す情報も転送された場合には、この時刻情報の受信も行う。
【００２７】
次いで、データ更新対象決定部２３は、データ保持部２１に保持されている各装置３，４における現在のエンジニアリングデータと、データ受信部２２により受信されたエンジニアリングデータとを装置３，４単位で比較し、データ更新対象の装置３，４を決定する（ステップＳＴ３、データ更新対象決定ステップ）。この際、データ更新対象決定部２３は、エンジニアリングデータのうち、装置が必要とする全てのデータ（例えば、装置３，４の管理名称、装置４に接続されるフィールド機器の台数・種別など）の比較を行う。そして、現在のエンジニアリングデータと、受信されたエンジニアリングデータについて、１つでもデータに差異があった場合、その装置３，４はデータ更新対象の装置であると判断する。
【００２８】
このステップＳＴ３において、データ更新対象決定部２３によりデータ更新対象の装置３，４が決定された場合、ファイル生成部２４は、データ受信部２２により受信された該当エンジニアリングデータに基づいて、当該更新対象の装置３，４用のダウンロードファイルを生成する（ステップＳＴ４、ファイル生成ステップ）。
【００２９】
次いで、ファイルダウンロード部２５は、ファイル生成部２４により生成されたダウンロードファイルを、該当装置３，４にダウンロードする（ステップＳＴ５、ファイルダウンロードステップ）。なお、データ受信部２２により該当エンジニアリングデータとともにダウンロード時刻を示す情報も受信された場合には、当該ダウンロード時刻に該当ダウンロードファイルのダウンロードを実行する。また、データ保持部２１は、該当エンジニアリングデータを、データ更新対象の装置３，４における現在のエンジニアリングデータとして保持する。
【００３０】
以上により、作業者によるエンジニアリング作業装置１の操作時間は、上記ステップＳＴ１のデータ転送処理だけで済む。そのため、従来技術に対し作業時間が大幅に短縮され、作業効率を改善することができる。
【００３１】
また、作業者は、ステップＳＴ１のデータ転送処理を行う際にファイルダウンロード部２５におけるダウンロード時刻を設定可能であり、ダウンロード時刻を夜間に設定することで、データ管理装置２による各装置３，４のデータ更新を自動的に夜間に行わせることができる。よって、作業者は、データ管理装置２へのデータ転送処理をいつでも行うことができる。
【００３２】
また、各装置３，４における現在のエンジニアリングデータは、必ず、データ管理装置２のデータ保持部２１に保持されることになる。そのため、作業者は、データ管理装置２のデータ保持部２１から保持しているエンジニアリングデータをアップロードすることで、各装置３，４における現在のエンジニアリングデータを取得することが可能となる。
【００３３】
以上のように、この実施の形態１によれば、エンジニアリング作業装置１は、エンジニアリングデータを設定するデータ設定部１１と、設定されたエンジニアリングデータをデータ管理装置２に転送するデータ転送部１３とを備え、データ管理装置２は、各装置３，４における現在のエンジニアリングデータを保持するデータ保持部２１と、転送されたエンジニアリングデータを受信するデータ受信部２２と、各装置３，４における現在のエンジニアリングデータと受信されたエンジニアリングデータとを比較し、データ更新対象の装置３，４を決定するデータ更新対象決定部３，４と、データ更新対象の装置３，４が決定された場合、受信された該当エンジニアリングデータに基づきダウンロードファイルを生成するファイル生成部２４と、生成されたダウンロードファイルを該当装置３，４にダウンロードするファイルダウンロード部２５とを備えたので、作業効率を改善できるとともに、データ管理を容易に行うことができる。
【００３４】
なお、本願発明はその発明の範囲内において、実施の形態の任意の構成要素の変形、もしくは実施の形態の任意の構成要素の省略が可能である。
【符号の説明】
【００３５】
１  エンジニアリング作業装置
２  データ管理装置
３  監視装置
４  制御装置
５  表示装置
６  ルータ
１１  データ設定部
１２  ダウンロード時刻設定部
１３  データ転送部
２１  データ保持部
２２  データ受信部
２３  データ更新対象決定部
２４  ファイル生成部
２５  ファイルダウンロード部
【図１】
2015035700.tif 000003
【図２】
2015035700.tif 000004
【図３】
2015035700.tif 000005
【図４】
2015035700.tif 000006